(57)【要約】【課題】壁掛用の螺子体が外力で移動することがあっても、当該螺子体の移動を規制し、螺子体が抜出るのを阻止することができる壁掛用板体、表示装置及びこれを含むテレビ受像装置を提供する。【解決手段】略短冊形をなし、長手方向及び幅方向へ離隔した４箇所に孔１３、孔１３から離隔した第２孔１５及び該第２孔１５の縁部から折曲げられている突片１８を設けてあり、螺子孔１４ａを有する螺子体１４の一端部を孔１３に嵌入保持し、突片１８の先端部を孔１３側へ折曲げることにより、螺子軸１４の前記一端部の端面と対向して螺子体１４が前記一端部の側から抜出るのを阻止する阻止片１６を設けた。【選択図】図６
2012185458.tif 000002
【特許請求の範囲】
【請求項１】
表示機器に取付けられる取付部及び厚さ方向へ貫通する孔を有し、該孔に螺子体の一端部を嵌入保持してある壁掛用板体において、前記一端部の端面と対向し、前記螺子体が前記一端部の側から抜出るのを阻止する阻止片を有することを特徴とする壁掛用板体。
【請求項２】
前記孔から離隔した第２孔と、該第２孔の前記阻止片側の縁部に連なり、その先端部に前記阻止片を配してある突片とを有する請求項１に記載の壁掛用板体。
【請求項３】
略短冊形をなし、長手方向及び幅方向へ離隔した４箇所に前記孔及び阻止片を配してある請求項１又は２に記載の壁掛用板体。
【請求項４】
前記螺子体は雌螺子であり、前記阻止片に対向する鍔部を前記一端部に設けてある請求項１から３のいずれか一つに記載の壁掛用板体。
【請求項５】
表示機器と、該表示機器に前記取付部が取付けられている請求項１から４のいずれか一つに記載の壁掛用板体とを備えることを特徴とする表示装置。
【請求項６】
テレビ放送信号を受信する受信部を備え、該受信部がテレビ放送信号を受信して前記表示機器の表示面にテレビ画像を表示する請求項５に記載の表示装置を含むことを特徴とするテレビ受像装置。
【発明の詳細な説明】
【技術分野】
【０００１】
本発明は表示機器に取付けられ、該表示機器を壁掛けするのに好適な壁掛用板体、これを備える表示装置及びこれを含むテレビ受像装置に関する。
【背景技術】
【０００２】
テレビ受像装置等の薄型の表示装置は薄型化及び軽量化を図ることにより、壁掛けした際の出っ張り量を少なくし、壁部に加わる負荷を低減することができるようになしてある。
【０００３】
前側に表示面を有する表示装置の後側には、電源回路基板等の複数の回路基板、及び該回路基板を覆い、電子波を遮断するシールド板が装着されている。シールド板には、上下及び横方向へ離隔した４箇所に孔が開設され、該孔の夫々に、螺子孔を有する螺子体の一端部が圧入固定され、該螺子体の一端部をカシメ加工することにより螺子体が後方へ抜出るのを阻止し、螺子体夫々の螺子孔に螺入される雄螺子にて立掛具が取付けられている（例えば、特許文献１参照）。この表示装置は、立掛具にて机上に立掛けられるか、又は、立掛具にて壁掛けされる。
【先行技術文献】
【特許文献】
【０００４】
【特許文献１】特開２０００−３３３１００号公報
【発明の概要】
【発明が解決しようとする課題】
【０００５】
ところで、特許文献１に記載されている表示装置は比較的小型であり、机上での立掛けと壁掛けとを立掛具が兼ねているため、立掛具は常に表示装置に装着されている。しかし、テレビ受像装置等の表示装置は益々大型化される傾向にあり、表示装置の大型化に伴って、床置き専用のスタンド及び壁掛け専用の壁掛具が必要になっている。床置き及び壁掛け用の表示装置は、スタンド及び壁掛具が異なるだけであり、スタンド又は壁掛具を装着することができるように、スタンド取付部及び壁掛具取付部が設けられている。
【０００６】
床置きされる場合は、壁掛具が必要でなく、スタンド取付部にスタンドが取付けられ、壁掛けされる場合は、スタンドが必要でなく、壁掛具だけが壁掛具取付部に取付けられる。
【０００７】
壁掛具取付部は、略短冊形をなす壁掛用板体の長手方向及び幅方向へ離隔した４箇所に孔が開設され、孔夫々に、螺子孔を有する螺子体の一端部が嵌入保持されており、螺子体夫々の螺子孔に雄螺子が螺入されることにより、壁掛具を取付けることができるように構成されている。また、壁掛具取付部の孔間寸法、螺子孔の寸法等はＶＥＳＡ（Video Electronics Standards Association）規格によって標準化され、種々の壁掛具であっても取付けることができるようになっている。
【０００８】
ところが、壁掛具取付部の構造が、特許文献１に記載されているように、４箇所の孔に螺子体が嵌入固定されているものにおいて、スタンド取付部にスタンドが取付けられて床置きされる場合、及び壁掛具が取付けられていない状態で搬送される場合等、外部から螺子体の先端に衝撃等の外力が加わった際、外力にて螺子体が移動し、該螺子体が孔から抜出て表示装置内の回路基板装着部に脱落する可能性があり、脱落した螺子体にて回路基板部分が電気的にショートすることが考えられる。
【０００９】
本発明は斯かる事情に鑑みてなされたものであり、主たる目的は壁掛用の螺子体が外力で移動することがあっても、当該螺子体の移動を規制し、螺子体が抜出るのを阻止することができる壁掛用板体、表示装置及びこれを含むテレビ受像装置を提供することにある。
【００１０】
また、他の目的は螺子体が抜出るのを阻止することができる壁掛用板体を、部品点数を増加することなく簡易に得ることができる壁掛用板体、表示装置及びこれを含むテレビ受像装置を提供することにある。
【課題を解決するための手段】
【００１１】
本発明に係る壁掛用板体は、表示機器に取付けられる取付部及び厚さ方向へ貫通する孔を有し、該孔に螺子体の一端部を嵌入保持してある壁掛用板体において、前記一端部の端面と対向し、前記螺子体が前記一端部の側から抜出るのを阻止する阻止片を有することを特徴とする。
【００１２】
この発明にあっては、取付部により壁掛用板体が表示装置に取付けられている状態で螺子体に衝撃等の外力が加わり、該螺子体が軸長方向へ移動することがあっても、該螺子体の移動を阻止片にて規制することができ、孔から螺子体が抜出るのを阻止することができるため、螺子体が表示装置の内部に脱落して電気的にショートするような事態をなくすることができる。
【００１３】
また、本発明に係る壁掛用板体は、前記孔から離隔した第２孔と、該第２孔の前記阻止片側の縁部に連なり、その先端部に前記阻止片を配してある突片とを有する構成とするのが好ましい。
この発明にあっては、螺子体が嵌入される孔が形成される際に第２孔及び突片を成形することができ、また、螺子体が嵌入保持された後で、前記突片の先端部を折曲げることにより阻止片が形成されるため、部品点数を増加することなく阻止片を簡易に得ることができ、螺子体の抜出しを阻止することができるとともに、阻止片の脱落がない壁掛用板体のコストを低減することができる。
【００１４】
また、本発明に係る壁掛用板体は、略短冊形をなし、長手方向及び幅方向へ離隔した４箇所に前記孔及び阻止片を配してある構成とするのが好ましい。
この発明にあっては、４箇所の孔に嵌入保持されている４本の螺子体のうち、いずれか１本が孔内で軸長方向へ移動することがあっても、該螺子体の移動を、孔の夫々に対応した阻止片にて個別に規制することができ、孔から螺子体が抜出るのを阻止することができる。
【００１５】
また、本発明に係る壁掛用板体は、前記螺子体は雌螺子であり、前記阻止片に対向する鍔部を前記一端部に設けてある構成とするのが好ましい。
この発明にあっては、孔に嵌入保持されている螺子体の鍔部が孔回りの一面に当接しているため、螺子体の螺子孔に螺入されている雄螺子の螺入力に影響されることなく螺子体の孔内での移動を鍔部にて阻止することができる。
【００１６】
また、本発明に係る表示装置は、表示機器と、該表示機器に前記取付部が取付けられている上述した発明の壁掛用板体とを備えることを特徴とする。
この発明にあっては、床置きされるテレビ受像装置の後側に衝撃等の外力が加わり、螺子体が軸長方向へ押圧されることがあっても、該螺子体の移動を阻止片にて規制することができ、螺子体の抜出しを阻止することができるため、螺子体による電気的なショートをなくすることができる。
【００１７】
また、本発明に係るテレビ受像装置は、テレビ放送信号を受信する受信部を備え、該受信部がテレビ放送信号を受信して前記表示機器の表示面にテレビ画像を表示する上述した発明の表示装置を含むことを特徴とする。
この発明にあっては、テレビ放送信号を受信して表示機器の表示面にテレビ画像を表示することができる。
【発明の効果】
【００１８】
本発明によれば、外力によって螺子体が抜出るのを阻止片にて阻止することができるため、螺子体が表示装置の内部に脱落して電気的にショートするような事態をなくすることができる。
【図面の簡単な説明】
【００１９】
【図１】テレビ受像装置の概略構成を示す分解斜視図である。
【図２】液晶表示装置の概略構成を示す分解斜視図である。
【図３】本発明に係る壁掛用板体の構成を示す正面側斜視図である。
【図４】本発明に係る壁掛用板体の構成を示す背面側斜視図である。
【図５】本発明に係る壁掛用板体の要部の構成を示す拡大斜視図である。
【図６】図３のVI−VI線拡大断面図である。
【図７】本発明に係る壁掛用板体の要部の構成を示す拡大断面図である。
【図８】本発明に係る壁掛用板体の構成を示す正面図である。
【図９】本発明に係る壁掛用板体の構成を示す背面図である。
【図１０】本発明に係る壁掛用板体の構成を示す側面図である。
【図１１】本発明に係る壁掛用板体を備える表示装置の構成を示す背面図である。
【図１２】本発明に係る壁掛用板体を備える表示装置の構成を示す背面側斜視図である。
【図１３】本発明に係る表示装置の要部の構成を示す拡大断面図である。
【図１４】本発明に係る表示装置の要部の構成を示す拡大断面図である。
【図１５】本発明に係る壁掛用板体における阻止片部分の他の構成を示す拡大断面図である。
【図１６】本発明に係る壁掛用板体における阻止片部分の他の構成を示す拡大断面図である。
【図１７】本発明に係る壁掛用板体における阻止片部分の他の構成を示す拡大断面図である。
【図１８】本発明に係る壁掛用板体における阻止片部分の他の構成を示す拡大断面図である。
【発明を実施するための形態】
【００２０】
以下本発明をその実施の形態を示す図面に基づいて詳述する。説明は、前側に表示面を有し、略直方体をなす液晶表示パネルを備える薄型の表示機器に壁掛用板体が取付けられている表示装置を例として説明する。表示装置はバックライト部を含む液晶表示装置を搭載し、テレビ放送信号を受信する受信部を備え、該受信部がテレビ放送信号を受信してテレビ画像を前記液晶表示パネルに表示するテレビ受像装置を含む。図１はテレビ受像装置の概略構成を示す分解斜視図、図２は液晶表示装置の概略構成を示す分解斜視図である。
【００２１】
テレビ受像装置は、液晶表示装置Ｃと、該液晶表示装置Ｃを挾むようにして収容する枠体Ｄ及びカバーＥと、電源Ｆと、チューナＧと、スタンドＨとを備えて構成される。液晶表示装置Ｃは、全体として横長の方形（矩形状）をなし、縦置き状態で枠体Ｄ及びカバーＥ内に収容されている。この液晶表示装置Ｃは、図２に示すように、液晶表示パネルＪと、外部光源であるバックライト部Ｋとを備え、液晶表示パネルＪ及びバックライト部Ｋなどが枠状のベゼルなどの挾持枠体Ｌ，Ｍにより一体的に挾持され、パネルモジュールを構成するようになっている。
【００２２】
図３は本発明に係る壁掛用板体の構成を示す正面側斜視図、図４は本発明に係る壁掛用板体の構成を示す背面側斜視図、図５は本発明に係る壁掛用板体の要部の構成を示す拡大斜視図、図６は図３のVI−VI線拡大断面図、図７は本発明に係る壁掛用板体の要部の構成を示す拡大断面図、図８は本発明に係る壁掛用板体の構成を示す正面図、図９は本発明に係る壁掛用板体の構成を示す背面図、図１０は本発明に係る壁掛用板体の構成を示す側面図である。
【００２３】
図示した壁掛用板体Ａは、テレビ画像を表示する表示面を前側に有し、略直方体をなす表示部の後側に電気回路基板等の複数の回路基板が装着され、前記表示部の前側周縁部から後側をキャビネットで被覆されている表示機器の前記キャビネット内に配され、周縁部が前記表示部の後側に取付けられる。
【００２４】
壁掛用板体Ａは、略短冊形に成形され、長手方向の中間に厚さ方向の段部１０を有する金属板からなり、長手方向両端側に、複数の挿通孔を有する第１及び第２の取付部１１，１２が設けられ、段部１０及び第１の取付部１１間の中央側に、四つの孔１３、該孔１３夫々に一端部が嵌入保持された４本の螺子体１４、孔１３夫々から面に沿う方向へ離隔した第２孔１５及び第２孔１５の縁部から厚さ方向一方へ折曲げられて螺子体１４における一端部の端面に対向する阻止片１６が設けられている。また、段部１０よりも第２の取付部１２側に、スタンド取付用の３個の取付孔１７が開設されている。また、段部１０及び第１の取付部１１間の幅方向中央部には複数の軽量化用の抜孔１９が開設されている。
【００２５】
第１の取付部１１は、一端側が厚さ方向一方へ折曲げられた部片の先端部が外向きに直角状に折曲げられることにより形成されている。第２の取付部１２は、他端側で幅方向両側が厚さ方向一方へ折り曲げられた部片の先端部が外向きに直角状に折曲げられることにより形成されている。
【００２６】
孔１３は、長手方向及び幅方向に離隔した４箇所に円形に開設されている丸孔である。第２孔１５は、孔１３夫々から幅方向内側へ離隔した４箇所に、孔１３と離隔する側へ略コ字形に形成された切目内の部片を厚さ方向一方の阻止片１６側へ折曲げることにより開設されている。折曲げられた部片からなる突片１８は、先端部が孔１３側へ直角状に折曲げられ、突片１８に連なる阻止片１６が設けられている。
【００２７】
阻止片１６は、螺子体１４における孔１３側一端部の端面と対向し、螺子体１４が軸長方向へ移動するのを規制している。また、阻止片１６は、螺子体１４の一端部が孔１３に嵌入された後で突片１８の先端部が折曲げ加工されることにより、前記一端部の端面と対向する。
【００２８】
螺子体１４は筒部１４ｂの中心部に螺子孔１４ａを有する雌螺子であり、孔１３に嵌入される一端部に鍔部１４ｃが設けられており、該鍔部１４ｃが孔１３周りの一面に当接し、また、鍔部１４ｃの端面が阻止片１６に当接又は僅かの隙間を隔てて対向し、螺子体１４の移動が規制されている。鍔部１４ｃの端面に当接した阻止片１６は鍔部１４ｃを前記一面へ押圧し、該一面との間で鍔部１４ｃを挾着することになり、外力に関係なく螺子体１４の移動は阻止される。また、鍔部１４ｃの端面と僅かの隙間を隔てて対向する阻止片１６は鍔部１４ｃを前記一面へ押圧しないが、孔１３から僅かに移動した螺子体１４の鍔部１４ｃに当接し、螺子体１４の移動は阻止される。
【００２９】
図１１は本発明に係る壁掛用板体Ａを備える表示装置の構成を示す背面図、図１２は本発明に係る壁掛用板体Ａを備える表示装置の構成を示す背面側斜視図、図１３及び図１４は本発明に係る表示装置の要部の構成を示す拡大断面図である。以上のように構成された壁掛用板体Ａは、テレビ画像を表示する表示面を前側に有し、電源回路基板等の複数の回路基板が後側に装着されている表示機器Ｂの後側に取付けられる。
【００３０】
表示機器Ｂは、略直方体をなし、前側に表示面を有する液晶のパネル、該パネルの後側に配置された光学シート、バックライト部、これらパネル等の部品を支持する金属製の支持体２０、該支持体２０の後側の面に並置されている複数の回路基板２１を備えている。
【００３１】
表示機器Ｂにおける支持体２０の後面で、横方向中央側には壁掛用板体Ａが取付けられ、表示機器Ｂの前側周縁部には枠形をなすキャビネット前分体２２が装着され、表示機器Ｂの周縁部から後側には深皿形状をなすキャビネット後分体２３（図１３，図１４参照）が装着されている。キャビネット後分体２３の上下及び横方向中央部には、壁掛用板体Ａにおける螺子体１４の螺子孔１４ａ側先端が挿入される４個の貫通孔２３ａが開設されており、該貫通孔２３ａの下側にはスタンド取付用の取付孔１７に対応する３個の挿通孔が開設されている。また、キャビネット後分体２３の下部で、横方向中央部にはスタンド挿入用の開口部が設けられている。尚、表示機器Ｂ、壁掛用板体Ａ、キャビネット前分体２２、キャビネット後分体２３が表示装置を構成している。また、キャビネット前分体２２及びキャビネット後分体２３がキャビネットを構成している。
【００３２】
支持体２０は枠部２０ａ及び該枠部２０ａの開放側を閉塞する蓋板２０ｂを有する浅底の箱形をなし、枠部２０ａにパネル等の部品が支持され、キャビネット後分体２３が複数の雄螺子にて枠部２０ａに取外しを可能に取付けられており、また、蓋板２０ｂの後面で、横方向中央部に壁掛用板体Ａが、螺子体１４の螺子孔１４ａが後向きとなるように配され、該壁掛用板体Ａの第１の取付部１１が蓋板２０ｂの上部に雄螺子２４にて取付けられ、第２の取付部１２が蓋板２０ｂの下部に雄螺子２４にて取付けられ、螺子体１４の螺子孔１４ａ側先端がキャビネット後分体２３の貫通孔２３ａ夫々に挿入され（図１３参照）、螺子孔１４ａが外部へ開放されている。
【００３３】
表示装置が床置きされる場合、キャビネット後分体２３の下部に開放されている開口部からスタンドの上部が挿入され、キャビネット後分体２３の下部に開設されている挿通孔から挿通される雄螺子が取付孔１７に螺入されることによりスタンドの上部が壁掛用板体Ａに取付けられ、スタンドにて表示装置の起立状態を維持することができる。この場合、壁掛用板体Ａにおける螺子体１４の先端はキャビネット後分体２３の貫通孔２３ａに挿入されているだけであり（図１３参照）、壁掛具が取付けられていないため、後側から螺子体１４の先端に外力が加わったとき、該螺子体１４が回路基板２１側へ押圧され、螺子体１４が移動しょうとするが、螺子体１４の孔１３への嵌入側端に配してある鍔部１４ｃと対向する位置に阻止片１６があるため、該阻止片１６に螺子体１４の鍔部１４ｃが当接し、螺子体１４の移動を規制することができ、螺子体１４が孔１３から回路基板２１側へ抜出るのを阻止することができる。また、表示装置が床置きされる以外の搬送中に後側から螺子体１４の先端に外力が加わったときにおいても、螺子体１４の移動を阻止片１６にて規制することができる。
【００３４】
表示装置が壁掛けされる場合、キャビネット後分体２３の貫通孔２３ａに開放されている螺子体１４の螺子孔１４ａに雄螺子２５が螺入されることにより壁掛具２６を壁掛用板体Ａを取付けることができる。この場合、スタンドは取付けられない。
【００３５】
また、略短冊形をなす壁掛用板体Ａに開設されている孔１３及び第２孔１５は、取付部１１，１２が設けられる長手方向両端側でなく、また、幅方向両側部でもなく、長手方向中央側で、幅方向中央側に開設されているため、壁掛用板体Ａの外縁部の形状を変えることなく、第２孔１５の縁部に連なる突片１８の折曲げにより阻止片１６を形成することができ、阻止片１６を有する高強度の壁掛用板体Ａを得ることができる。
【００３６】
図１５乃至図１８は本発明に係る壁掛用板体Ａにおける阻止片１６部分の他の構成を示す拡大断面図である。図１５は略コ字形をなす切目内の部片が折曲げられた突片１８を鍔部１４ｃの厚さよりも僅かに長くし、突片１８に連なる阻止片１６を螺子体１４と離隔する側へ傾斜させてあり、螺子体１４の孔１３からの抜出しを阻止することができるように構成してある。
【００３７】
図１６は略コ字形をなす切目内の部片が折曲げられた突片１８を鍔部１４ｃの厚さよりも比較的長くし、突片１８に連なる阻止片１６を螺子体１４と離隔する側へ傾斜させてあり、螺子体１４の孔１３からの抜出しを阻止することができるように構成してある。
【００３８】
図１７は略コ字形をなす切目内の部片が折曲げられた突片１８を鍔部１４ｃの厚さよりも比較的長くし、突片１８に連なる阻止片１６の先端部を基部に対して螺子体１４側へ傾斜させ、阻止片１６の先端が螺子体１４の鍔部１４ｃ端面に当接し、鍔部１４ｃを押圧して外力に関係なく螺子体１４の移動を阻止するように構成してある。
【００３９】
図１８は略コ字形をなす切目内の部片が折曲げられた突片１８を鍔部１４ｃの厚さよりも比較的長くし、突片１８に連なる阻止片１６を螺子体１４の鍔部１４ｃとほぼ平行に配し、螺子体１４の孔１３からの抜出しを阻止することができるように構成してある。
【００４０】
尚、以上説明した実施の形態では、略短冊形をなす一つの壁掛用板体Ａが四つの孔１３を有する構成としたが、その他、壁掛用板体Ａは、横方向に離隔して配される二つの壁掛用板体の夫々が、上下に離隔する二つの孔を有する構成であってもよい。
【符号の説明】
【００４１】
Ａ    壁掛用板体
１１，１２  取付部
１３  孔
１４  螺子体
１４ａ  螺子孔
１５  第２孔
１６  阻止片
１８  突片
Ｂ    表示機器
【図１】
2012185458.tif 000003
【図２】
2012185458.tif 000004
【図３】
2012185458.tif 000005
【図４】
2012185458.tif 000006
【図５】
2012185458.tif 000007
【図６】
2012185458.tif 000008
【図７】
2012185458.tif 000009
【図８】
2012185458.tif 000010
【図９】
2012185458.tif 000011
【図１０】
2012185458.tif 000012
【図１１】
2012185458.tif 000013
【図１２】
2012185458.tif 000014
【図１３】
2012185458.tif 000015
【図１４】
2012185458.tif 000016
【図１５】
2012185458.tif 000017
【図１６】
2012185458.tif 000018
【図１７】
2012185458.tif 000019
【図１８】
2012185458.tif 000020